(57)【特許請求の範囲】
【請求項１】
端子金具を収容するコネクタハウジングと、
前記コネクタハウジングに収容された前記端子金具の抜け止めのために前記コネクタハウジングのスペーサ装着用開口に挿入されるスペーサと、
前記スペーサを前記端子金具に係合しない仮係止位置に仮止めする仮係止機構と、
前記仮係止位置よりもハウジング内奥側に押し込まれた前記スペーサを、前記端子金具に係合した本係止位置に係止する本係止機構と、
を備えるコネクタであって、
前記仮係止機構は、前記スペーサの後端面の幅方向の中央となる位置に第１の設定値以上の押圧荷重が作用し、且つ、前記スペーサの後端面の幅方向の端部に第２の設定値以上の押圧荷重が作用したときに限って、前記スペーサの前記仮係止位置から前記本係止位置への移動を許容することを特徴とするコネクタ。
【請求項２】
前記スペーサは、前記コネクタハウジングの幅方向に対向する両外側部に配置されて、当該スペーサの後端面の幅方向の中央となる位置に第１の設定値以上の押圧荷重が作用すると、先端から後端に向かってスペーサの幅が狭まる所定の傾斜状態に撓み変形する一対の外側壁と、前記一対の外側壁の先端寄りの位置からコネクタハウジングの幅方向外方に突出して設けられた位置決め用突起と、を備え、
前記コネクタハウジングは、前記スペーサが前記スペーサ装着用開口から挿入されて前記仮係止位置に進んだときに前記位置決め用突起が当接するように前記コネクタハウジングの内側面に突設されて、前記位置決め用突起の当接により前記仮係止機構として機能する係止突起を備え、
前記スペーサを前記仮係止位置に位置決めしている前記位置決め用突起と前記係止突起との相互の当接面は、前記スペーサの後端面の幅方向の中央となる位置に第１の設定値以上の押圧荷重が作用して前記一対の外側壁が前記所定の傾斜状態に撓み変形することで前記位置決め用突起が所定の傾斜状態となり、且つ、前記スペーサの後端面の幅方向の端部に前記スペーサの挿入方向に沿う第２の設定値以上の押圧力が作用したときに限って、前記位置決め用突起が前記係止突起を乗り越えて前記本係止位置への移動を許容するように、互いの傾斜角が設定されていることを特徴とすることを特徴とする請求項１に記載のコネクタ。
【請求項３】
前記スペーサを前記仮係止位置に位置決めしている前記位置決め用突起と前記係止突起との相互の当接面は、前記コネクタハウジングの幅方向の内側の位置が前記スペーサの挿入方向前方に向かう傾斜で、前記スペーサの挿入方向と直交する基準面との間の挟角が４５゜未満となる鋭角の傾斜に設定されていることを特徴とする請求項２に記載のコネクタ。
【発明の詳細な説明】
【技術分野】
【０００１】
本発明は、端子金具を収容するコネクタハウジングと、前記コネクタハウジングに収容された前記端子金具の抜け止めのために前記コネクタハウジングのスペーサ装着用開口に挿入されるスペーサと、を備えるコネクタに関する。
【背景技術】
【０００２】
コネクタハウジングに収容された端子金具の抜けや不完全嵌合を防止するために、端子金具を収容するコネクタハウジングと、前記コネクタハウジングに収容された前記端子金具の抜け止めのために前記コネクタハウジングのスペーサ装着用開口に挿入されるスペーサと、を備えるコネクタが各種提案されている。
【０００３】
図１４〜図１６は、このようなコネクタの従来例を示したものである。
これらの図に示したコネクタ１００は、下記特許文献１に開示されたコネクタと同様に、コネクタハウジング１１０の下面側にスペーサ装着用開口１１１が設けられ、図１４に矢印Ｚ１で示すように、スペーサ装着用開口１１１にスペーサ１２０が挿入装着される。
【０００４】
図１５及び図１６は、スペーサ装着用開口１１１に挿入されたスペーサ１２０が、仮係止機構１３０によって仮係止位置に位置決めされた状態である。
【０００５】
仮係止位置は、スペーサ１２０がコネクタハウジング１１０内の端子金具に係合しない位置である。
【０００６】
図示例の仮係止機構１３０は、図１６に示すように、コネクタハウジング１１０の幅方向に対向するスペーサ１２０の両外側壁１２１，１２２の先端に突設された一対の位置決め用突起１３１と、コネクタハウジング１１０側に設けられた一対の係止部１３３とで構成される。
【０００７】
一対の位置決め用突起１３１は、スペーサ１２０の両外側壁１２１，１２２の先端から、内側に向かって突設された突起である。また、一対の係止部１３３は、スペーサ１２０がコネクタハウジング１１０内の仮係止位置まで挿入されたときに、位置決め用突起１３１が係合する係合溝である。一対の係止部１３３は、外側壁１２１，１２２の内側に対向状態に立設されているコネクタハウジング１１０内の内部隔壁１１３，１１４に設けられている。
【０００８】
スペーサ１２０は、図１５及び図１６に示した仮係止位置から更に所定以上の押圧荷重をかけると、端子金具にスペーサが係合する本係止位置に移動させることができる。
【先行技術文献】
【特許文献】
【０００９】
【特許文献１】特開２０１０−４０３６６号公報
【発明の概要】
【発明が解決しようとする課題】
【００１０】
ところで、特許文献１などに開示された従来のコネクタでは、仮係止位置におけるスペーサの係止力は、それほど高く設定されていない。
【００１１】
そのため、スペーサがコネクタハウジングに仮係止されている状態でコネクタの輸送等を行った場合に、輸送中に外部の機材等がスペーサ１２０の後端壁１２５の一端部に誤接触すると、図１７に示すように、そのときの衝撃力Ｆ１で、スペーサ１２０の一端側が不用意に本係止位置に押し込まれてしまうおそれがあった。
【００１２】
そして、スペーサ１２０が不用意に本係止位置に押し込まれてしまうと、コネクタハウジング１１０に端子金具を収容する際、スペーサ１２０を元の仮係止位置へ戻す復旧作業が必要となり、取り扱い性が悪いという問題が生じる。
【００１３】
そこで、本発明の目的は、上記課題を解消することに係り、コネクタハウジングのスペーサ装着用開口に挿入されるスペーサが、誤接触等で不用意に仮係止位置から本係止位置に押し込まれることがなく、取り扱い性に優れたコネクタを提供することにある。
【課題を解決するための手段】
【００１４】
本発明の前述した目的は、下記の構成により達成される。
（１）端子金具を収容するコネクタハウジングと、
前記コネクタハウジングに収容された前記端子金具の抜け止めのために前記コネクタハウジングのスペーサ装着用開口に挿入されるスペーサと、
前記スペーサを前記端子金具に係合しない仮係止位置に仮止めする仮係止機構と、
前記仮係止位置よりもハウジング内奥側に押し込まれた前記スペーサを、前記端子金具に係合した本係止位置に係止する本係止機構と、
を備えるコネクタであって、
前記仮係止機構は、前記スペーサの後端面の幅方向の中央となる位置に第１の設定値以上の押圧荷重が作用し、且つ、前記スペーサの後端面の幅方向の端部に第２の設定値以上の押圧荷重が作用したときに限って、前記スペーサの前記仮係止位置から前記本係止位置への移動を許容することを特徴とするコネクタ。
【００１５】
（２）前記スペーサは、前記コネクタハウジングの幅方向に対向する両外側部に配置されて、当該スペーサの後端面の幅方向の中央となる位置に第１の設定値以上の押圧荷重が作用すると、先端から後端に向かってスペーサの幅が狭まる所定の傾斜状態に撓み変形する一対の外側壁と、前記一対の外側壁の先端寄りの位置からコネクタハウジングの幅方向外方に突出して設けられた位置決め用突起と、を備え、
前記コネクタハウジングは、前記スペーサが前記スペーサ装着用開口から挿入されて前記仮係止位置に進んだときに前記位置決め用突起が当接するように前記コネクタハウジングの内側面に突設されて、前記位置決め用突起の当接により前記仮係止機構として機能する係止突起を備え、
前記スペーサを前記仮係止位置に位置決めしている前記位置決め用突起と前記係止突起との相互の当接面は、前記スペーサの後端面の幅方向の中央となる位置に第１の設定値以上の押圧荷重が作用して前記一対の外側壁が前記所定の傾斜状態に撓み変形することで前記位置決め用突起が所定の傾斜状態となり、且つ、前記スペーサの後端面の幅方向の端部に前記スペーサの挿入方向に沿う第２の設定値以上の押圧力が作用したときに限って、前記位置決め用突起が前記係止突起を乗り越えて前記本係止位置への移動を許容するように、互いの傾斜角が設定されていることを特徴とすることを特徴とする上記（１）に記載のコネクタ。
【００１６】
（３）前記スペーサを前記仮係止位置に位置決めしている前記位置決め用突起と前記係止突起との相互の当接面は、前記コネクタハウジングの幅方向の内側の位置が前記スペーサの挿入方向前方に向かう傾斜で、前記スペーサの挿入方向と直交する基準面との間の挟角が４５゜未満となる鋭角の傾斜に設定されていることを特徴とする上記（２）に記載のコネクタ。
【００１７】
（４）前記一対の外側壁相互を連結している前記スペーサの前記後端壁に、前記スペーサの後端面の幅方向の中央となる位置に第１の設定値以上の押圧荷重が作用したときに前記後端壁を撓み変形し易くするスリットを設けたことを特徴とする上記（１）〜（３）の何れか１つに記載のコネクタ。
【００１８】
（５）前記一対の外側壁相互を連結している前記スペーサの前記後端壁に、前記スペーサの後端面の幅方向の中央となる位置に第１の設定値以上の押圧荷重が作用したときに前記後端壁を撓み変形し易くする薄肉部を設けたことを特徴とする上記（１）〜（４）の何れか１つに記載のコネクタ。
【００１９】
上記（１）の構成によれば、仮係止機構によりコネクタハウジング内の仮係止位置に位置決めされているスペーサは、スペーサの後端面の中央と端部のそれぞれに、予め設定した設定値以上の押圧荷重が作用した場合に限って、仮係止位置から本係止位置に移動させることができる。
【００２０】
輸送中等では、スペーサの後端面の中央と端部のそれぞれに、予め設定した設定値以上の押圧荷重が作用することは、まず発生し得ない。従って、仮係止機構により仮係止位置に保持されているスペーサが、輸送中等の誤接触等で不用意に仮係止位置から本係止位置に押し込まれることがない。
【００２１】
そのため、コネクタハウジングに端子金具を収容する際にスペーサを元の仮係止位置へ戻す復旧作業が発生することを防止することができ、取り扱い性を向上させることができる。
【００２２】
上記（２）の構成によれば、仮係止位置に位置決めされているスペーサの後端面の幅方向の中央となる位置を押圧すると、前記後端面を提供しているスペーサの後端壁の中央が凹んだ状態に撓み変形し、この後端壁の変形に伴い、スペーサの両外側壁が、先端から後端に向かってスペーサの幅が狭まる所定の傾斜状態に撓み変形する。そして、このスペーサの両外側壁が所定の傾斜状態に撓み変形することで、両外側壁に装備されている位置決め用突起は、係止突起に当接する角度が当初よりも急角度になり、その結果、スペーサの後端壁にかける押圧荷重が小さくても、位置決め用突起が係止突起を乗り越え易くなる。
【００２３】
逆に言えば、スペーサの後端面の中央が押下されない状態では、位置決め用突起が係止突起に当接する角度が緩やかであり、位置決め用突起が係止突起を乗り越えるためには、より大きな押圧荷重をかけることが必要になる。
【００２４】
そのため、スペーサの後端面の中央が押下されない状態において位置決め用突起に係止突起を乗り越えさせる際に必要となる押圧荷重が、輸送時等における誤接触で作用する荷重よりも大きくなるように、係止突起に当接する位置決め用突起の当初の傾斜角を設定しておけば、輸送時等にスペーサの後端面の端部又は中央の何れか一方に、誤接触による押圧荷重が作用しても、誤接触によってスペーサが仮係止位置から本係止位置に不本意に移動するという不都合の発生を防止することができる。
【００２５】
即ち、上記（２）の構成によれば、スペーサの後端面の幅方向の中央と端部のそれぞれに同時に設定荷重以上の押圧荷重を作用させたときにのみ、スペーサを仮係止位置から本係止位置に移動させることができるという上記（１）の技術的思想を実現することができる。
【００２６】
上記（３）の構成によれば、スペーサの後端面に作用する押圧荷重によって位置決め用突起と係止突起との相互の当接面間に働く力は、スペーサの挿入方向と直交する基準面と当接面との間の挟角が４５゜未満の場合は、前記挟角が小さいほど、当接面に平行な方向の成分の方が当接面に直交する方向の成分よりも小さくなり、当接面間に滑りを生じ難くさせることができる。
【００２７】
従って、スペーサの挿入方向と直交する基準面と当接面との間の挟角を４５゜未満に設定することで、輸送時等の誤接触でスペーサが仮係止位置から本係止位置に移動することを抑止する効果を高めることができる。
【００２８】
上記（４）の構成によれば、スペーサの後端面を提供する後端壁にスリットを設けるという、実施が容易な構成で、スペーサの後端壁を撓み変形し易くすることができる。
【００２９】
従って、スペーサの幅方向の中央を押圧することで、スペーサの後端壁を中央部が凹んだ所望の撓み形状に撓み変形させることが容易になる。
【００３０】
上記（５）の構成によれば、スペーサの後端面を提供する後端壁に薄肉部を設けるという、実施が容易な構成で、スペーサの後端壁を撓み変形し易くすることができる。
【００３１】
従って、スペーサの幅方向の中央を押圧することで、スペーサの後端壁を中央部が凹んだ所望の撓み形状に撓み変形させることが容易になる。
【発明の効果】
【００３２】
本発明によるコネクタによれば、仮係止機構によりコネクタハウジング内の仮係止位置に位置決めされているスペーサは、スペーサの後端面の中央と端部のそれぞれに、予め設定した設定値以上の押圧荷重が作用させた場合に限って、仮係止位置から本係止位置に移動させることができる。
【００３３】
輸送中等では、スペーサの後端面の中央と端部のそれぞれに、予め設定した設定値以上の押圧荷重が作用することは、まず発生し得ない。従って、コネクタハウジングのスペーサ装着用開口に挿入されるスペーサが、輸送中等の誤接触等で不用意に仮係止位置から本係止位置に押し込まれることがない。
【００３４】
そのため、コネクタハウジングに端子金具を収容する際にスペーサを元の仮係止位置へ戻す復旧作業が発生することを防止することができ、取り扱い性を向上させることができる。
【図面の簡単な説明】
【００３５】
【図１】本発明に係るコネクタの一実施形態の分解斜視図である。
【図２】図１に示したコネクタハウジングの正面図である。
【図３】図１に示したコネクタハウジング内のスペーサを係止する機構を示すコネクタハウジングの背面図である。
【図４】図３に示したＡ部の拡大図である。
【図５】図１に示したスペーサの拡大図である。
【図６】図３に示したコネクタハウジングにスペーサが仮止めされた状態の背面図である。
【図７】図６のＢ部の拡大図である。
【図８】コネクタハウジングに仮係止されているスペーサの幅方向の中央部が押下されて、スペーサの両外側壁が傾斜したときの位置決め用突起と係止突起との係合状態を示す拡大図である。
【図９】コネクタハウジングに仮係止されているスペーサの幅方向の中央部と端部とのそれぞれが押下されて、位置決め用突起が係止突起の乗り越えを開始した状態の背面から見た図である。
【図１０】コネクタハウジングに仮係止されているスペーサの幅方向の中央部と端部とのそれぞれが押下されて、位置決め用突起が係止突起の乗り越える動作が完了に近づいている状態の背面から見た図である。
【図１１】コネクタハウジングに仮係止されているスペーサの幅方向の中央部と端部とのそれぞれが押下されて、位置決め用突起が係止突起を乗り越えて、本係止位置に移動した状態の背面から見た図である。
【図１２】本発明のコネクタで使用するスペーサの別の実施形態の斜視図である。
【図１３】本発明のコネクタで使用するスペーサの更に別の実施形態の斜視図である。
【図１４】従来のコネクタの分解斜視図である。
【図１５】従来のコネクタにおいて、スペーサが仮係止位置に位置決めされている状態の斜視図である。
【図１６】図１５に示したコネクタにおけるスペーサの取り付け状態を示す背面図である。
【図１７】図１５に示したコネクタのスペーサの一端側が仮係止位置から本係止位置に移動した状態を示す背面図である。
【発明を実施するための形態】
【００３６】
以下、本発明に係るコネクタの好適な実施形態について、図面を参照して詳細に説明する。
【００３７】
図１〜図１１は本発明に係るコネクタの一実施形態を説明するもので、図１は一実施形態のコネクタの分解斜視図、図２は図１に示したコネクタハウジングの正面図、図３は図１に示したコネクタハウジング内のスペーサを係止する機構を示すコネクタハウジングの背面図、図４は図３に示したＡ部の拡大図、図５は図１に示したスペーサの拡大図、図６は図３に示したコネクタハウジングにスペーサが仮止めされた状態の背面図、図７は図６のＢ部の拡大図、図８はコネクタハウジングに仮係止されているスペーサの幅方向の中央部が押下されて、スペーサの両外側壁が傾斜したときの位置決め用突起と係止突起との係合状態を示す拡大図、図９はコネクタハウジングに仮係止されているスペーサの幅方向の中央部と端部とのそれぞれが押下されて、位置決め用突起が係止突起の乗り越えを開始した状態の背面から見た図、図１０はコネクタハウジングに仮係止されているスペーサの幅方向の中央部と端部とのそれぞれが押下されて、位置決め用突起が係止突起の乗り越える動作が完了に近づいている状態の背面から見た図、図１１はコネクタハウジングに仮係止されているスペーサの幅方向の中央部と端部とのそれぞれが押下されて、位置決め用突起が係止突起を乗り越えて、本係止位置に移動した状態の背面から見た図である。
【００３８】
この一実施形態のコネクタ１は、図１〜図３に示すように、端子金具（不図示）を収容するコネクタハウジング１０と、コネクタハウジング１０に収容された端子金具の抜け止めのためにコネクタハウジング１０のスペーサ装着用開口１１に挿入されるスペーサ２０と、スペーサ２０を端子金具に係合しない仮係止位置に仮止めする仮係止機構３０と、仮係止位置よりもハウジング内奥側に押し込まれたスペーサ２０を端子金具に係合した本係止位置に係止する本係止機構４０と、を備えている。
【００３９】
コネクタハウジング１０は、図１に示すように、下面で、やや後端寄りの位置にスペーサ装着用開口１１を有している。スペーサ２０は、図１に示す矢印Ｚ２方向に沿ってスペーサ装着用開口１１に挿入されることで、コネクタハウジング１０に装着される。
【００４０】
コネクタハウジング１０のスペーサ装着用開口１１の内奥部には、図３及び図４に示すように、第１係止突起１３と、第２係止突起１４とが装備されている。
【００４１】
第１係止突起１３は、図３及び図４に示すように、スペーサ装着用開口１１に挿入されるスペーサ２０の幅方向の両外側面２１ａ，２２ａ（図５参照）に対向する一対の内側面１０ａ，１０ｂに、内方に向かって突設されている。
【００４２】
この第１係止突起１３は、図４に示すように、下側に仮係止テーパ面３１を有し、上側に本係止テーパ面４１を有している。
【００４３】
仮係止テーパ面３１は、スペーサ装着用開口１１側に面したテーパ面である。この仮係止テーパ面３１は、コネクタハウジング１０の幅方向の内側の位置がスペーサ２０の挿入方向前方（図１の矢印Ｚ２方向）に向かう傾斜で、スペーサ２０の挿入方向と直交する基準面Ｍ１（図４参照）との間の挟角θが４５゜未満となる鋭角の傾斜に設定されている。
【００４４】
仮係止テーパ面３１は、スペーサ２０がスペーサ装着用開口１１から挿入されて仮係止位置に進んだときに後述の位置決め用突起２４と当接して、位置決め用突起２４がそれ以上挿入方向に進むことを規制する。
【００４５】
第２係止突起１４は、内側面１０ａ，１０ｂよりもハウジングの内部側から内側面１０ａ，１０ｂに対向するようにハウジング内に設けられた外向き側面１０ｃ、１０ｄに突設されている。この第２係止突起１４の上端面は、スペーサ２０が仮係止位置に進んだときに、スペーサ２０の内向き突起２５と係合して、スペーサ２０がスペーサ装着用開口１１側に戻ることを規制する戻り規制面３２となっている。
【００４６】
仮係止テーパ面３１及び戻り規制面３２は、スペーサ２０を仮係止位置に位置決めする仮係止機構３０として機能する。
【００４７】
第１係止突起１３の本係止テーパ面４１は、スペーサ２０の位置決め用突起２４が第１係止突起１３を乗り越えたときに、位置決め用突起２４の後端面を係止して、スペーサ２０を本係止位置に固定する本係止機構４０として機能する。
【００４８】
スペーサ２０は、図５〜図７に示すように、コネクタハウジング１０の幅方向に対向する両外側部に配置された一対の外側壁２１，２２と、これらの一対の外部壁２１，２２相互を連結する後端壁２３と、一対の外側壁２１，２２の先端寄りの位置からコネクタハウジング１０の幅方向外方に突出して設けられた位置決め用突起２４と、一対の外側壁２１，２２の先端寄りの位置からコネクタハウジング１０の幅方向内方に突出して設けられた内向き突起２５と、一対の外側壁２１，２２の後端寄りの位置からコネクタハウジング１０の幅方向外方に突出して設けられたガイド突起２６と、当該スペーサ２０が本係止位置に位置決めされたときに端子金具の抜けを規制する金具係止部２８と、を備えている。
【００４９】
一対の外側壁２１，２２は、図６に示すように当該スペーサ２０の後端面の幅方向の中央となる位置に第１の設定値以上の押圧荷重Ｇ１が作用すると、先端から後端に向かってスペーサ２０の幅が狭まる所定の傾斜状態に撓み変形するように、装備されている。図８は、図６の押圧荷重Ｇ１の作用によって、スペーサ２０の外側壁２２が所定の傾斜状態に撓み変形した状態を示している。
【００５０】
図８に示したように、外側壁２２が所定の傾斜状態になると、外側壁２２の先端に突設されている第１位置決め用突起２４は、図８の矢印Ｒ１方向に回動して、第１係止突起１３に当接する角度が当初よりも急角度になる。
【００５１】
スペーサ２０の後端壁２３には、スペーサ２０の後端面の幅方向の中央となる位置に第１の設定値以上の押圧荷重Ｇ１が作用したときに、後端壁２３を中央が凹んだ状態に撓み変形し易くするスリット２７が設けられている。
本実施形態の場合、スリット２７は、図５に示すように、２本装備されている。
【００５２】
位置決め用突起２４は、スペーサ装着用開口１１に挿入されたスペーサ２０が、仮係止位置まで進んだときに、図６及び図７に示すように、ハウジング内の第１係止突起１３の仮係止テーパ面３１に当接して、それ以上ハウジングの内奥に進むことを規制する。位置決め用突起２４が仮係止テーパ面３１に当接したときには、図７に示すように、内向き突起２５の後端面が第２係止突起１４に係止されて、スペーサ２０がスペーサ装着用開口１１側に戻ることも規制される。
【００５３】
即ち、後端壁２３及び内向き突起２５は、仮係止テーパ面３１及び戻り規制面３２との協働で、スペーサ２０を仮係止位置に位置決めする仮係止機構３０として機能する。
【００５４】
スペーサ２０が仮係止位置に進んだときに第１係止突起１３の仮係止テーパ面３１に当接する位置決め用突起２４の当接面は、仮係止テーパ面３１と同様に傾斜に設定されている。即ち、位置決め用突起２４の仮係止テーパ面３１に当接する当接面は、コネクタハウジング１０の幅方向の内側の位置がスペーサ２０の挿入方向前方に向かう傾斜で、スペーサ２０の挿入方向と直交する基準面との間の挟角が４５゜未満となる鋭角の傾斜に設定されている。
【００５５】
ガイド突起２６は、スペーサ２０がスペーサ装着用開口１１に挿入されたときに、図６及び図７に示すようにコネクタハウジング１０内の内側面１０ａ，１０ｂ上を摺動し、外側壁２１，２２が幅方向外側に倒れることを規制する。
【００５６】
以上に説明したコネクタ１の仮係止機構３０は、スペーサ２０の後端面の幅方向の中央となる位置に第１の設定値以上の押圧荷重Ｇ１が作用し、且つ、スペーサ２０の後端面の幅方向の端部に第２の設定値以上の押圧荷重Ｇ２が作用したときに限って、スペーサ２０の仮係止位置から本係止位置への移動を許容するように、仮係止テーパ面３１及び位置決め用突起２４の当接面の角度が設定されている。
【００５７】
更に詳しく説明すると、本実施形態のコネクタ１では、スペーサ２０を仮係止位置に位置決めしている位置決め用突起２４と第１係止突起１３との相互の当接面は、スペーサ２０の後端面の幅方向の中央となる位置に第１の設定値以上の押圧荷重Ｇ１が作用して、図８に示したように、一対の外側壁２１，２２が所定の傾斜状態に撓み変形することで位置決め用突起２４が所定の傾斜状態となる。この状態で、更に、図７に示すように、スペーサ２０の後端面の幅方向の端部にスペーサ２０の挿入方向に沿う第２の設定値以上の押圧力Ｇ２が作用したときに限って、図９〜図１１に示すように、位置決め用突起２４が第１係止突起１３を乗り越えて本係止位置へ移動するように、位置決め用突起２４と第１係止突起１３との相互の当接面の傾斜角が設定されている。
【００５８】
以上に説明した一実施形態のコネクタ１では、仮係止機構３０によりコネクタハウジング１０内の仮係止位置に位置決めされているスペーサ２０は、スペーサ２０の後端面の中央と端部のそれぞれに、予め設定した設定値以上の押圧荷重を作用させた場合に限って、仮係止位置から本係止位置に移動させることができる。
【００５９】
輸送中等では、スペーサ２０の後端面の中央と端部のそれぞれに、予め設定した設定値以上の押圧荷重が作用することは、まず発生し得ない。従って、仮係止機構３０により仮係止位置に保持されているスペーサ２０が、輸送中等の誤接触等で不用意に仮係止位置から本係止位置に押し込まれることがない。
【００６０】
そのため、コネクタハウジング１０に端子金具を収容する際にスペーサ２０を元の仮係止位置へ戻す復旧作業が発生することを防止することができ、取り扱い性を向上させることができる。
【００６１】
また、一実施形態のコネクタ１では、仮係止位置に位置決めされているスペーサ２０の後端面の幅方向の中央となる位置を押圧すると、図８に示すように後端面を提供しているスペーサ２０の後端壁２３の中央が凹んだ状態に撓み変形し、この後端壁２３の変形に伴い、スペーサ２０の両外側壁２１，２２が、先端から後端に向かってスペーサ２０の幅が狭まる所定の傾斜状態に撓み変形する。
【００６２】
そして、このスペーサ２０の両外側壁２１，２２が所定の傾斜状態に撓み変形することで、両外側壁２１，２２に装備されている位置決め用突起２４は、第１係止突起１３に当接する角度が当初よりも急角度になり、その結果、スペーサ２０の後端壁２３にかける押圧荷重が小さくても、位置決め用突起２４が第１係止突起１３を乗り越え易くなる。
【００６３】
逆に言えば、スペーサ２０の後端面の中央が押下されない状態では、位置決め用突起２４が第１係止突起１３に当接する角度が緩やかであり、位置決め用突起２４が第１係止突起１３を乗り越えるためには、より大きな押圧荷重をかけることが必要になる。
【００６４】
そのため、スペーサ２０の後端面の中央が押下されない状態において位置決め用突起２４に第１係止突起１３を乗り越えさせる際に必要となる押圧荷重が、輸送時等における誤接触で作用する荷重よりも大きくなるように、第１係止突起１３に当接する位置決め用突起２４の当初の傾斜角を設定しておけば、輸送時等にスペーサ２０の後端面の端部又は中央の何れか一方に、誤接触による押圧荷重が作用しても、誤接触によってスペーサ２０が仮係止位置から本係止位置に不本意に移動するという不都合の発生を防止することができる。
【００６５】
即ち、一実施形態のコネクタ１では、スペーサ２０の後端面の幅方向の中央と端部のそれぞれに同時に設定荷重以上の押圧荷重を作用させたときにのみ、スペーサ２０を仮係止位置から本係止位置に移動させることができるという本発明の技術的思想を実現することができる。
【００６６】
また、一実施形態のコネクタ１では、スペーサ２０の後端面に作用する押圧荷重（図４のＦ）によって位置決め用突起２４と第１係止突起１３との相互の当接面間に働く力は、スペーサ２０の挿入方向と直交する基準面と当接面との間の挟角が４５゜未満の場合は、挟角が小さいほど、当接面に平行な方向の成分（図４のＦｈ）の方が当接面に直交する方向の成分（図４のＦｖ）よりも小さくなり、当接面間に滑りを生じ難くくさせることができる。
【００６７】
従って、本実施形態のようにスペーサ２０の挿入方向と直交する基準面と当接面との間の挟角が４５゜未満に設定することで、輸送時等の誤接触でスペーサ２０が仮係止位置から本係止位置に移動することを抑止する効果を高めることができる。
【００６８】
また、一実施形態のコネクタ１では、スペーサ２０の後端面を提供する後端壁２３にスリット２７を設けるという、実施が容易な構成で、スペーサ２０の後端壁２３を撓み変形し易くすることができる。
【００６９】
従って、スペーサ２０の幅方向の中央を押圧することで、スペーサ２０の後端壁２３を中央部が凹んだ所望の撓み形状に撓み変形させることが容易になる。
【００７０】
なお、本発明のコネクタは、前述した実施形態に限定されるものでなく、適宜な変形、改良等が可能である。
【００７１】
例えば、スペーサの後端面の幅方向の中央となる位置に第１の設定値以上の押圧荷重が作用したときに後端壁を撓み変形し易くする手段は、上記実施形態に限らない。
【００７２】
例えば、図１２に示すスペーサ２０Ａでは、後端壁２３を撓み変形し易くする手段として、一実施形態に示したスリット２７の代わりに、薄肉部２７Ａを設けている。
【００７３】
図１２に示した構成では、スペーサの後端面を提供する後端壁２３に薄肉部２７Ａを設けるという、実施が容易な構成で、スペーサ２０の後端壁２３を撓み変形し易くすることができる。
【００７４】
従って、スペーサ２０Ａの幅方向の中央を押圧することで、スペーサ２０Ａの後端壁２３を中央部が凹んだ所望の撓み形状に撓み変形させることが容易になる。
【００７５】
また、スペーサの後端壁を撓み変形し易くする手段として、後端壁にスリットを設ける場合に、設けるスリットの数量や、スリットの具体的な形状も、前述した実施形態に限定されない。
【００７６】
例えば、図１３に示すスペーサ２０Ｂでは、端壁２３を撓み変形し易くする手段として、一実施形態に示した２本のスリット２７の代わりに、一実施形態の場合とは断面形状が相異する１本のスリット２７Ｂを設けている。
【００７７】
このように、後端壁に装備するスリットの断面形状や、装備数量を変更することで、スペーサの後端壁の撓み特性を調整するようにしても良い。
【符号の説明】
【００７８】
１  コネクタ
１０  コネクタハウジング
１１  スペーサ装着用開口
１３  第１係止突起（係止突起）
１４  第２係止突起（係止突起）
２０，２０Ａ，２０Ｂ  スペーサ
２１，２２  外側壁
２４  位置決め用突起
２５  内向き突起
２７，２７Ａ，２７Ｂ  スリット
３０  仮係止機構
３１  仮係止テーパ面
４０  本係止機構
４１  本係止テーパ面
Ｇ１  押圧荷重
【図１】
0005707252.tif 000002
【図２】
0005707252.tif 000003
【図３】
0005707252.tif 000004
【図４】
0005707252.tif 000005
【図５】
0005707252.tif 000006
【図６】
0005707252.tif 000007
【図７】
0005707252.tif 000008
【図８】
0005707252.tif 000009
【図９】
0005707252.tif 000010
【図１０】
0005707252.tif 000011
【図１１】
0005707252.tif 000012
【図１２】
0005707252.tif 000013
【図１３】
0005707252.tif 000014
【図１４】
0005707252.tif 000015
【図１５】
0005707252.tif 000016
【図１６】
0005707252.tif 000017
【図１７】
0005707252.tif 000018